(57)【特許請求の範囲】
【請求項１】
データ送信装置から処理対象となるデータを受信して処理するデータ処理装置において、
自装置の一部の電源供給を停止又は削減するパワーセーブモード機能を有するとともに、
前記パワーセーブモードの期間に前記データ送信装置から接続要求を受けた場合に、前記データ送信装置との間でデータ転送のための接続が確立するまでの時間が、前記通常動作モードへの立ち上げ時間以上となるように、応答パケットを前記データ送信装置に送信するときのタイミングを設定する設定手段を備えることを特徴とするデータ処理装置。
【請求項２】
前記データ送信装置からの接続要求に対する応答時に、前記パワーセーブモードから前記通常動作モードへの立ち上げ時間に対応するタイムアウト情報を前記データ送信装置に通知する通知手段を備えることを特徴とする請求項１記載のデータ処理装置。
【請求項３】
前記データ送信装置からの接続要求を受信した後に、前記通常動作モードへの立ち上げと前記接続要求に対する応答を開始することを特徴とする請求項１記載のデータ処理装置。
【請求項４】
前記データ送信装置からの接続要求に係る応答中に通信不能となった場合、前記通常動作モードへの立ち上げを継続することを特徴とする請求項１記載のデータ処理装置。
【請求項５】
前記通常動作モードに立ち上げた後、所定の条件に応じてパワーセーブモードに移行するとともに、当該パワーセーブモードのモード切り換えを段階的に行うことを特徴とする請求項４記載のデータ処理装置。
【請求項６】
前記データ送信装置との間の通信を無線で行うことを特徴とする請求項１記載のデータ処理装置。
【請求項７】
前記自装置の一部が演算素子であることを特徴とする請求項１記載のデータ処理装置。
【請求項８】
前記処理対象となるデータがプリントデータであることを特徴とする請求項１記載のデータ処理装置。
【発明の詳細な説明】
【０００１】
【発明の属する技術分野】
本発明は、例えばテキストデータや画像データなどのプリントデータを処理するプリンタ装置に適用して好適なデータ処理装置に関する。
【０００２】
【従来の技術】
近年、パーソナルコンピュータ等の普及により、その出力装置であるプリンタ装置にも高機能化が要求されている。その中の一つとして、無線通信を使用して、離れた場所からプリント出力する技術がある。無線通信技術は、パーソナルコンピュータ以外のＰＤＡ(Personal Digital Assistance)・携帯電話・ビデオカメラなどの携帯端末でのニーズが強いため、その場でネットワークを構築できる「アドホック・ネットワーク」や、電力消費を抑える「省電力化」が要求される。
【０００３】
省電力化を実現する技術として、「パワーセーブモード」の機能を持たせる技術が知られている。また、パワーセーブの技術をプリンタ装置に適用したものが公知となっている。プリンタ装置への適用例として、有線通信方式では、上位装置から送信されたデータがプリントデータか制御データ（コマンド）かを判別し、プリントデータを受信した場合のみパワーセーブモードを解除する技術が知られている。また、パワーセーブモード中に受信したデータを蓄積する受信バッファを備え、この受信バッファへのデータの蓄積容量を判断し、一定量を超えたらパワーセーブモードを解除する技術も知られている（特開平８−３２４０７１号公報参照）。一方、無線通信方式では、「Wake-Up」コマンドを受信した場合にパワーセーブモードを解除し、プリント可能となった場合に準備完了信号をホスト側に送信してからデータ転送を開始する技術が知られている（特開平１１−１２７１６５号公報参照）。
【０００４】
【発明が解決しようとする課題】
しかしながら、「パワーセーブモード」には、発振器の周波数を下げる或いは発振器を止める「スリープモード」と、電源の供給を止める「パワーオフモード」が存在する。そのため、特開平８−３２４０７１号公報に開示された技術では、パワーセーブモードからの復帰時間がデータの受信直後や受信バッファの容量に依存してしまう。また、受信バッファといった大容量のメモリが必要になるうえ、パワーオフモードの場合に立ち上がりまでの復帰が長くなるため、その間に受信バッファが容量オーバーとなってデータの取りこぼしが発生し、適切に対応できないという問題がある。
【０００５】
また、特開平１１−１２７１６５号公報に開示された技術では、予め通信相手が分かっている有線通信の場合には対応できるものの、「アドホック・ネットワーク」などの場合は「Wake-Up」コマンドの対象が不明で、かつ何時「準備完了信号」が届くか不明であり、待機状態時に通信相手が移動するといった場合に対応できない。
【０００６】
本発明は、上記課題を解決するためになされたもので、その目的とするところは、特にアドホック・ネットワークなどの無線通信において、パワーセーブモードから通常動作モードに立ち上がる前にデータ送信装置からの接続要求に応答できるとともに、データ送信装置から処理対象となるデータの送信が開始される前に、通常動作モードへの立ち上げを完了できるデータ処理装置を提供することにある。
【０００７】
【課題を解決するための手段】
本発明は、上記目的を達成するためになされたもので、データ送信装置から処理対象となるデータを受信して処理するデータ処理装置において、自装置の一部の電源供給を停止又は削減するパワーセーブモード機能を有するとともに、パワーセーブモードの期間にデータ送信装置から接続要求を受けた場合に、データ送信装置との間でデータ転送のための接続が確立するまでの時間が、通常動作モードへの立ち上げ時間以上となるように、応答パケットをデータ送信装置に送信するときのタイミングを設定する設定手段を備えたものである。
【０００８】
このデータ処理装置においては、通常動作モードへの立ち上げ前にデータ送信装置からの接続要求に応答することが可能になるとともに、データ送信装置から処理対象となるデータが送信される前に、通常動作モードへの立ち上げを完了することが可能となる。また、データ送信装置からの接続要求に対する応答時に、前記パワーセーブモードから通常動作モードへの立ち上げ時間に対応するタイムアウト情報をデータ送信装置に通知することにより、接続要求への応答に際して、データ送信装置側でのタイムアウトの発生を防止することが可能となる。
【０００９】
【発明の実施の形態】
以下、本発明に係るデータ処理装置をプリンタ装置に適用した場合の具体的な実施の形態につき、図面を用いて詳細に説明する。なお、本発明に係るデータ処理装置は、プリンタ装置への適用に限らず、外部のデータ送信装置から送信された各種のデータを処理する装置、例えばテキスト編集装置や音声再生装置などにも適用可能である。
【００１０】
図1は本発明の実施形態に係るプリンタ装置の構成を示すブロック図である。図示したプリンタ装置１０は、大きくは、無線通信インターフェース部２０、主電源３０、電源スイッチ３１、コントローラ部４０とともに、図示しない印刷部を備えて構成されている。無線通信インターフェース部２０は、外部のデータ送信装置との間で無線通信を行うものである。主電源３０は、コントローラ部４０に電源３０１を供給するもので、電源スイッチ３１は、コントローラ部４０への電源３１２の供給をオンオフするものである。コントローラ部４０は、プリンタ装置１０全体の処理動作を統括的に制御するもので、印刷部（不図示）はコントローラ部４０からの印刷指令に従ってプリントデータの印刷処理（プリント出力）を行うものである。
【００１１】
図２は無線通信インターフェース部の内部構成を示すブロック図である。図示のように無線通信インターフェース部２０は、リクエスト制御部２１、ＤＭＡＣ(Direct Memory Access Controller)２２、タイマ２３、ＦＩＦＯ(First-In First-Out)制御部２４、無線制御部２５、ＲＦ(Radio Frequency)部２６、通信アンテナ２７を備えて構成されている。
【００１２】
リクエスト制御部２１は、コントローラ部４０の状態を判断し、その判断結果に基づいてＤＭＡ(Direct Memory Access)転送を行うか否かを判別するものである。このリクエスト制御部２１に対しては、ＦＩＦＯ制御部２４からＦＩＦＯでのデータ蓄積量（フル／エンプティ）を通知する通知信号２４１が与えられる。ＤＭＡＣ２２は、リクエスト制御部２１でＤＭＡ転送を行うと判別した場合に、ＤＭＡ転送を実行するものである。ＤＭＡ転送を実行するにあたっては、リクエスト制御部２１からＤＭＡＣ２２にＤＭＡＣイネーブル信号２１１が与えられ、この信号を受けてＤＭＡＣ２２が起動する。ＤＭＡＣ起動時には、後述する内部バスとの間でＤＭＡＣ２２がデータ４０３の転送を行う。
【００１３】
タイマ２３は、各種の時間計測を行うものである。タイマ２３には、ＤＭＡＣ２２でのデータ転送が終了したときにＤＭＡＣ停止信号２２２が与えられ、この信号をトリガとして、コントローラ部４０をパワーセーブモードに移行させる時間をタイマ２３で計測する。ＦＩＦＯ制御部２４は、ＤＭＡＣ２２との間でやり取りするデータ２２１や、無線通信部２５との間でやり取りするデータ２４１の転送タイミングを制御するものである。無線制御部２５は、通信アンテナ２７による無線通信とＲＦ部２６をコントロールするものである。この無線通信部２５では、ＦＩＦＯ制御部２４から送られたデータ２４２をパラレル／シリアル変換してＲＦ部２６に送る一方、ＲＦ部２６から送られたデータ２５１をシリアル／パラレル変換してＦＩＦＯ制御部２４に送る。
【００１４】
図３はコントローラ部の内部構成を示すブロック図である。図示のようにコントローラ部４０は、演算素子となるＣＰＵ（中央演算処理装置）４１、ブリッジイメージ処理部４２、ＲＡＭ(Random Access Memory)４３、ＲＯＭ(Read-Only Memory）４４等を備えて構成されている。ＣＰＵ４１は、本コントローラを制御するもので、ブリッジイメージ処理部４２は、内部バス４５、ＣＰＵ４１、内部メモリ（４３，４４）のブリッジ機能を担うものである。ＲＡＭ４３は、通信データなどを貯えるメモリで、ＲＯＭ４４は、ＣＰＵ４１のブートプログラムなどを貯えておくメモリである。
【００１５】
次に、本発明の実施形態に係るプリンタ装置のデータ転送動作について説明する。先ず、データ送信装置となる上位装置（例えば、無線通信機能を備える携帯端末やパーソナルコンピュータなど）から送信されたデータは、無線通信インターフェース部２０のＲＦ部２６で受信される。この受信データは、無線制御部２５によって一旦、ＦＩＦＯ制御部２４に蓄えられた後、コントローラ部４０のＣＰＵ４１からのＤＭＡＣリクエスト信号４０１を受けてＤＭＡＣ２２により内部バス４５に転送される。このとき、ＤＭＡＣ２２は、内部バス４２１を介してブリッジイメージ処理部４２に転送要求信号４０４を出力するとともに、データを内部バス４５上に出力する。
【００１６】
こうして内部バス４５に出力されたデータは、ブリッジイメージ処理部４２を介してＲＡＭ４３に書き込まれる。ＲＡＭ４３に書き込まれたデータは、ＣＰＵ４１によってイメージ処理が施された後、ブリッジイメージ処理部４２を介して印刷部（不図示）へと出力される。
【００１７】
図４は本発明の実施形態における無線通信の手順を示すフロー図である。先ず、上位装置である携帯端末やパーソナルコンピュータ等は、通信相手となる装置を判別するために、その他の装置に対して問い合わせを行い（ステップ▲１▼）、その問い合わせに対する応答を待つ。上位装置による問い合わせは、その他の装置に対して「Ａ問い合せパケット」を送信することで行われる。
【００１８】
これに対して、プリンタ装置は、上位装置からの「Ａ問い合せパケット」を受信してこれを受け付けた後（ステップ▲２▼）、問い合わせに対する応答として、「プリンタ装置である」という回答と一緒に、装置固有のアドレスと幾つかのパラメータを「Ｂ問い合せ応答パケット」として送り返す（ステップ▲３▼）。このとき、上位装置からの「Ａ問い合わせパケット」を、前述のプリンタ装置を含めた複数の装置が受信すると、各々の装置から上位装置に対して「Ｂ問い合わせ応答パケット」が送り返される。
【００１９】
こうしてプリンタ装置を含めた複数の装置から「Ｂ問い合せ応答パケット」を受信した上位装置は、その中から接続を希望する装置を選択して、接続要求を行う（ステップ▲４▼）。上位装置による接続要求は、接続を希望する装置に対して「Ｃ接続要求パケット」を送信した後、送信相手装置からの応答を受信することで行われる。ここで上位装置が接続を希望する装置がプリンタ装置であるとすると、当該プリンタ装置に対して上位装置が「Ｃ接続要求パケット」を送信する。
【００２０】
これに対して、プリンタ装置は、上位装置からの「Ｃ接続要求パケット」を受信してこれを受け付けた後（ステップ▲５▼）、接続要求に対する応答処理に移行する（ステップ▲６▼）。プリンタ装置での接続要求応答処理では、先ず、上位装置に対して「Ｄ接続要求応答パケット」を送り返す。この「Ｄ接続要求応答パケット」は上位装置で受信される。そうすると、上位装置側では、接続要求の確認を行う（ステップ▲７▼）。上位装置による接続要求確認は、プリンタ装置に対して「Ｅ接続要求確認パケット」を送信した後、プリンタ装置からの応答を受信することで行われる。一方、プリンタ装置では、接続要求応答処理の中で「Ｅ接続要求確認パケット」を受信し、その応答として「Ｆ接続要求確認応答パケット」を送信する。
【００２１】
その後、プリンタ装置からの「Ｆ接続要求確認応答パケット」を受信した上位装置は、プリンタ装置との最終的な接続確認のために「Ｇ接続確認パケット」を送信し（ステップ▲８▼）、その応答としてプリンタ装置が「Ｈ接続確認パケット」を送り返す（ステップ▲９▼）。これにより、上位装置とプリンタ装置との間でデータ転送のための接続が確立された状態となり、この状態から両装置間で実際に処理すべきデータ（プリントデータ等）のやり取りが行われる。
【００２２】
こうして両装置間で接続が確立するまでのパケット通信において、プリンタ装置側でのパケット送受信は全て無線通信インターフェース部２０の制御下で行われる。そのため、コントローラ部４０の内部バス４５以降の機能部（４１〜４４）では、最終的に両装置間で接続確認（ステップ▲８▼，▲９▼）が終了するまでの間、データ処理のための動作（通常動作）を行う必要はない。このことから、プリンタ装置としては、ステップ▲５▼で接続要求を受け付けてから当該接続要求に対する応答と通常動作モードへの立ち上げを開始し、その後、ステップ▲９▼で接続を確認するまでの間に通常動作モードに移行すればよい。したがって、それ以前は「パワーオフモード」を実現することができる。ここで、通常動作モードとは、ＣＰＵ４１を含むコントローラ部４０がパワーセーブモード（本例ではパワーオフモード）から立ち上がった状態をいい、この状態のもとで、プリンタ装置は上位装置（データ送信装置）から送信される処理対象のデータ（本例ではプリントデータ）を処理することになる。
【００２３】
次に、プリンタ装置が「通常動作モード」から「パワーオフモード」に移行する場合の手順について説明する。先ず、プリンタ装置１０の電源がオン（投入）されると、電源スイッチ３１はコントローラ部４０に電源３１２を供給し、通常動作モードに入る。ここではＲＯＭ４４に書き込まれたブートプログラムが実行されてＣＰＵ４１が立ち上がる。そうすると、ＣＰＵ４１は、レジスタアクセス信号４０２を介して無線制御部２５に「通常動作モード」パラメータの設定を行う。この中には、前述した「Ｂ問い合せ応答パケット」に含まれるパラメータも含まれる。
【００２４】
次に、無線通信インターフェース部２０は、予め設定された期間にわたってＤＭＡＣ２２が動作していないことをタイマ２３で確認すると、ＣＰＵ４１にタイムアウト割込み２０２を通知する。この通知を受けてＣＰＵ４１は、無線通信インターフェース部２０の無線制御部２５に対して「パワーオフモード」パラメータの設定を行い、かつ、コントローラ部４０が「パワーオフモード」に移行したことでＤＭＡ転送ができない旨をリクエスト制御部２１に通知する。さらに、ＣＰＵ４１は、ブリッジイメージ処理部４２を介して電源停止信号３１１を電源スイッチ３１に通知する。これにより、コントローラ部４０への電源３１２の供給が停止して「パワーオフモード」に移行する。このとき、無線通信インターフェース部２０の電源は供給されたままの状態にある。
【００２５】
続いて、プリンタ装置が「パワーオフモード」から「通常動作モード」に移行する場合の手順について説明する。先ず、上位装置からプリンタ装置に「Ａ問い合せパケット」が送信され、無線通信インターフェース部２０の無線制御部２５で「Ａ問い合せパケット」を確認すると、「パワーオフモード」パラメータを記載した「Ｂ問い合せ応答パケット」を返信する。
【００２６】
ここで「パワーオフモード」のパラメータには、プリンタ装置がパワーセーブモード（本例ではパワーオフモード）から通常動作モードに立ち上がるときの所要時間（立ち上げ時間）に対応するタイムアウト情報が含まれる。このタイムアウト情報は、例えば図５に示すように、各々のパケット毎のタイムアウト値として通知される。タイムアウト値は、プリンタ装置からの応答待ち時間のリミット値となるものである。
【００２７】
また、プリンタ装置の無線通信インターフェース部２０では、上位装置からの接続要求に応答する際に、各々の応答パケットを上位装置に送信するときのタイミング（応答タイミング）を、パワーセーブモードから通常動作モードへの立ち上げ時間に基づいて設定する。具体的には、例えば、コントローラ部４０がパワーセーブモード（本例ではパワーオフモード）から通常動作モードに立ち上がるときの所要時間が３０秒であるとすると、プリンタ装置では、図５に示すように接続要求の受け付け（ステップ▲５▼）〜接続の確認（ステップ▲９▼）までの所要時間が３０秒（立ち上げ時間）以上となる条件で、各々の応答パケットの送信タイミングＴ１，Ｔ２，Ｔ３を設定する。送信タイミングの制御は、タイマ２３を用いて行われる。パワーセーブモードから通常動作モードへの立ち上げ時間は、コントローラ部４０の処理能力等に応じて異なるものの、プリンタ装置内では既知の情報として取り扱うことができる。また、立ち上げ時間に関しては、必要に応じて予めプリンタ装置に保持（記憶）させることもできる。
【００２８】
上位装置側でパケット毎のタイムアウト値を設定する場合、その設定条件となる時間の割り振りは、例えば、一つのパケットに対応するタイムアウト時間をプリンタ装置から上位装置に通知し、これを各パケットのタイムアウト時間に適用することで実現可能である。また、パケット毎のタイムアウト時間を上位装置に通知し、上位装置側で時間を割り振らせることも可能である。また、プリンタ装置側での応答タイミングの設定条件として、通常動作モードへの立ち上げ時間を均等に割り振って各パケットの応答タイミングを設定するようにすれば、トータル的なタイムアウト時間（本例では３０秒）を上位装置に通知し、これを上位装置側で均等（１０秒ずつ）に割り振らせることも可能である。
【００２９】
ちなみに、本実施形態においては、上位装置からの「Ｃ接続要求パケット」に対する「Ｄ接続要求応答パケット」のタイムアウト時間、上位装置からの「Ｅ接続要求確認パケット」に対する「Ｆ接続要求確認応答パケット」のタイムアウト時間、及び上位装置からの「Ｇ接続確認パケット」に対する「Ｈ接続確認パケットのタイムアウト時間が、それぞれ１０秒となるよう、「パワーオフモード」のパラメータを持たせている。
【００３０】
これにより、上位装置は、プリンタ装置と接続確立を行う場合、「パワーオフモード」のパラメータに則ってパケット通信を行うため、各パケットのタイムアウト時間だけ待つことが可能になる。そのため、上位装置側でのタイムアウトの発生を確実に防止することが可能となる。ただし、プリンタ装置側で設定される応答タイミングに対して、上位装置側でのタイムアウト値を予め十分に長く設定しておけば、プリンタ装置から上位装置にタイムアウト情報を通知しなくてもパケット通信におけるタイムアウトの発生を防止することが可能である。
【００３１】
続いて、上述のように「Ｂ問い合わせ応答パケット」を送信したプリンタ装置では、上位装置から送られた「Ｃ接続要求パケット」を無線通信インターフェース部２０で確認すると、無線制御部２５から電源スイッチ３１に電源スイッチリクエスト信号２０１を出力する。これによりコントローラ部４０に電源３１２が再供給され、ＣＰＵ４１がブートを行う。ＣＰＵ４１がブートを行っている間、上位装置との間では接続要求に係るパケット通信が行われる。そして、ＣＰＵ４１のブートが完了すると、コントローラ部４０は、無線通信インターフェース部２０のリクエスト制御部２１に復帰通知４０１を行って通常動作モードとなる。また、ＣＰＵ４１は、無線制御部２５に「通常動作モード」パラメータの設定を行う。
【００３２】
なお、ここではＣＰＵ４１を含むコントローラ部４０が「通常動作モード」に立ち上がっていることをデフォルト（前提）して、ＣＰＵ４１の立ち上がり後の動作を説明したが、これ以外にも、コントローラ部４０が「パワーオフモード」になっていることをデフォルトとして、無線制御部２５のパラメータを予め「パワーオフモード」としたものであってもよい。
【００３３】
また、「パワーセーブモード」として、ＣＰＵ４１への電源供給を停止する「パワーオフモード」を例に挙げて説明したが、これ以外にも、例えば図６に示すように、水晶発振器５０で生成したクロック５０１の供給をオンオフするクロックスイッチ５１を用いて、コントローラ部４０へのシステムクロック５１２の供給を停止する「スリープモード」や、図７に示すように、発信周波数の異なる２つの水晶発振機５０ａ，５０ｂで生成したクロック５０１，５０２の供給を切り換えるクロックスイッチ５１を用いて、コントローラ部４０に供給するシステムクロック５１２の発信周波数を下げる「スリープモード」に対応することも可能である。こうした「スリープモード」への対応時には、通常動作モードへの立ち上げ時間が「パワーオフモード」の場合よりも短くなるため、それに応じて接続要求に対する応答タイミングを適宜設定すればよい。
【００３４】
ちなみに、図６及び図７においては、無線通信インターフェース部２０からクロックスイッチ５１にクロックスイッチ信号２０３が与えられ、この信号に基づくクロックスイッチ５１のスイッチング動作によりコントローラ部４０へのシステムクロック５１２の供給が制御される。その際、図６に示す構成では、コントローラ部４０からクロックスイッチ５１に、クロックの供給を停止する旨のクロック制御信号５１１が与えられ、図７に示す構成では、クロックの周波数を切り換える旨のクロック制御信号５１１が与えられる。
【００３５】
また、無線アドホック・ネットワークの場合、接続確立中に何らかの原因で通信が途絶えるといった不具合が発生することがある。こうした不具合が、例えば上位装置からの接続要求に係る応答中に発生すると、プリンタ装置では通信不能となる。この場合の対処としては、上位装置からの「Ｃ接続要求パケット」を一旦受けたら、その後の応答中に通信不能となっても、必ずコントローラ部４０が通常動作モードまで立ち上がるよう、通常動作モードへの立ち上げを継続することが有効である。即ち、図８に示すように、通常動作モードへの立ち上げを継続した場合は、上位装置が再度接続を試みた場合でも、コントローラ部４０が通常動作モードまで立ち上がることで、上位装置からのパケットに即座に応答することができる。そのため、上位装置側でのタイムアウトが無視されて、パケット通信のオーバーヘッドを最小限に抑えることが可能となる。
【００３６】
また、上述のように通常動作モードへの立ち上げを継続し、これによって通常動作モードに立ち上げた後、上位装置から接続要求が出されなかった場合は、図９に示すように、タイマ２３による計測値に基づいて、通常動作モードからパワーセーブモードに移行する。このとき、「スリープモード」→「パワーオフモード」の順番でパワーセーブモードのモード切り換えを段階的に行うことにより、例えば上位装置からの再接続要求を通常動作モードで受けた場合は即座に応答することができる。また、上位装置からの再接続要求をスリープモードで受けた場合は、通常動作モードへの立ち上げを迅速に行うことができる。ちなみに、スリープモード及びパワーオフモードへの移行に際しては、その旨を通知するスリープ通知及びパワーオフ通知が、コントローラ部４０から無線通信インターフェース部２０に通知される。
【００３７】
なお、上記実施形態においては、上位装置との間の通信を無線で行う場合について説明したが、本発明はこれに限らず、上位装置と間の通信を有線で行う場合にも適用可能である。
【００３８】
【発明の効果】
以上説明したように本発明によれば、大規模なメモリを装備しなくても、通常動作モードへの立ち上げ前にデータ送信装置からの接続要求に適切に応答できるとともに、使用者に各モードを意識させることなく、データ送信装置から処理対象となるデータの送信が開始される前に、通常動作モードへの立ち上げを完了してデータの取りこぼしを防止できる。また、パワーセーブモードの一つであるパワーオフモードだけでなく、スリープモードにも対応可能となる。
【図面の簡単な説明】
【図１】  本発明の実施形態に係るプリンタ装置の構成を示すブロック図である。
【図２】  本発明の実施形態に係る無線通信インターフェース部の内部構成を示すブロック図である。
【図３】  本発明の実施形態に係るコントローラ部の内部構成を示すブロック図である。
【図４】  本発明の実施形態に係る無線通信の手順を示すフロー図である。
【図５】  本発明の実施形態に係る接続確立までのタイミング図（その１）である。
【図６】  本発明の他の適用例を示す図（その１）である。
【図７】  本発明の他の適用例を示す図（その２）である。
【図８】  本発明の実施形態に係る接続確立までのタイミング図（その２）である。
【図９】  本発明の実施形態に係るパワーセーブモードの移行手順を示すである。
【符号の説明】
１０…プリンタ装置、２０…無線通信インターフェース部、３０…主電源、３１…電源スイッチ、４０…コントローラ部、４１…ＣＰＵ、５０，５０ａ，５０ｂ…水晶発振器、５１…クロックスイッチ
【図１】
0003991594.tif 000002
【図２】
0003991594.tif 000003
【図３】
0003991594.tif 000004
【図４】
0003991594.tif 000005
【図５】
0003991594.tif 000006
【図６】
0003991594.tif 000007
【図７】
0003991594.tif 000008
【図８】
0003991594.tif 000009
【図９】
0003991594.tif 000010